(57)【要約】【課題】衣服の展示に於て、マネキンに衣服を着せた際、ディスプレイのボリューム感、立体感を一定とすることができる低コストな被服展示用補助具を提供する。【解決手段】一枚のプラスチック板Ｐを打ち抜いて形成した脚用の被服展示用補助具Ｈ１であって、係止突片部１と、係止突片部１が係止する係止スリット２を有する。係止突片部１を係止スリット２に係止させた組立状態では全体が先端方向へ縮径する細長円筒状であって円周壁部３と直径方向の補強横断壁部４が形成されるように構成する。【選択図】図３
2011067326.tif 000002
【特許請求の範囲】
【請求項１】
一枚のプラスチック板（Ｐ）を打ち抜いて形成した脚用の被服展示用補助具（Ｈ１）であって、
係止突片部（１）と、該係止突片部（１）が係止する係止スリット（２）を有し、
上記係止突片部（１）を上記係止スリット（２）に係止させた組立状態では全体が先端方向へ縮径する細長円筒状であって円周壁部（３）と直径方向の補強横断壁部（４）が形成されるように構成したことを特徴とする被服展示用補助具。
【請求項２】
組み立て途中に横断面がＺ字型又はＳ字型の中間状態を有する請求項１記載の被服展示用補助具。
【請求項３】
組立状態で長手方向中間位置において、上記円周壁部（３）の側壁面（８）及び後壁部（９）に切欠部（10）を形成して折曲げ可能な膝部（11）とした請求項１又は２記載の被服展示用補助具。
【請求項４】
上記長手方向中間位置において上記補強横断壁部（４）の左辺（12）と右辺（13）に弧状切欠部（14）を形成した請求項３記載の被服展示用補助具。
【請求項５】
一枚のプラスチック板（Ｐ）を打ち抜いて形成した腕用の被服展示用補助具（Ｈ２）であって、
係止突片部（１）と、該係止突片部（１）が係止する係止スリット（２）を有し、
上記係止突片部（１）を上記係止スリット（２）に係止させた組立状態では全体が細長筒状であって、長手方向中間位置より上部の上腕部（15）は横断面形状を半円型とし、かつ、長手方向中間位置より下部の前腕部（16）は円周壁部（３）と直径方向の補強横断壁部（４）が形成されるように構成したことを特徴とする被服展示用補助具。
【請求項６】
上記前腕部（16）は組み立て途中に横断面がＺ字型又はＳ字型の中間状態を有する請求項５記載の被服展示用補助具。
【請求項７】
上記Ｚ字型又はＳ字型の中間状態を形成するための折り曲げ部（５）を備え、該折り曲げ部（５）には予めハーフカット線（６）を形成した請求項２，３，４又は６記載の被服展示用補助具。
【請求項８】
上記係止突片部（１）を上記係止スリット（２）と択一的に係止して横断面の径寸法（Ｄ）を大小調節可能とする２列以上の平行な係止スリット群（７）を有する請求項１，２，３，４，５，６又は７記載の被服展示用補助具。
【発明の詳細な説明】
【技術分野】
【０００１】
本発明は、被服展示用補助具に関する。
【背景技術】
【０００２】
従来、衣服（ズボンや上着等）の展示に於て、マネキンに衣服を着せた際、脚や腕にボリューム感、立体感を出すために、脚部や腕部を備えたマネキンがある（例えば、特許文献１参照）。あるいは、衣服内部の要部に紙シート、ビニールシート等を丸めて入れたり、風船を入れていた。
【０００３】
しかし、脚部や腕部を備えたマネキンは、コスト高であるとともに、保管時に多くの場所を必要とし、さらに、重いという欠点があった。また、衣服内部に紙シート、ビニールシート等を丸めて入れたり、風船を入れる場合、複数のマネキンに衣服を着せてディスプレイをする場合、ディスプレイにばらつきが出たり、紙シート、ビニールシート等を丸めて入れたり、風船を入れる際に、時間が多くかかるという欠点があった。
【先行技術文献】
【特許文献】
【０００４】
【特許文献１】特開２００１−１２８８１８号公報
【発明の概要】
【発明が解決しようとする課題】
【０００５】
解決しようとする課題は、衣服の展示に於て、マネキンに衣服を着せた際、脚や腕にボリューム感、立体感を出すために、脚部や腕部を備えたマネキンは、コスト高であるとともに、保管時に多くの場所を必要とし、さらに、重いという点である。また、衣服の内部に風船等を入れると、複数のマネキンに衣服を着せてディスプレイをする場合、ディスプレイにばらつきが出たり、風船等を入れる際に時間が多くかかる点である。
【課題を解決するための手段】
【０００６】
そこで、本発明に係る被服展示用補助具は、一枚のプラスチック板を打ち抜いて形成した脚用の被服展示用補助具であって、係止突片部と、該係止突片部が係止する係止スリットを有し、上記係止突片部を上記係止スリットに係止させた組立状態では全体が先端方向へ縮径する細長円筒状であって円周壁部と直径方向の補強横断壁部が形成されるように構成したものである。
また、組み立て途中に横断面がＺ字型又はＳ字型の中間状態を有するものである。
また、組立状態で長手方向中間位置において、上記円周壁部の側壁面及び後壁部に切欠部を形成して折曲げ可能な膝部としたものである。
また、上記長手方向中間位置において上記補強横断壁部の左辺と右辺に弧状切欠部を形成したものである。
【０００７】
また、一枚のプラスチック板を打ち抜いて形成した腕用の被服展示用補助具であって、係止突片部と、該係止突片部が係止する係止スリットを有し、上記係止突片部を上記係止スリットに係止させた組立状態では全体が細長筒状であって、長手方向中間位置より上部の上腕部は横断面形状を半円型とし、かつ、長手方向中間位置より下部の前腕部は円周壁部と直径方向の補強横断壁部が形成されるように構成したものである。
また、上記前腕部は組み立て途中に横断面がＺ字型又はＳ字型の中間状態を有するものである。
【０００８】
また、上記Ｚ字型又はＳ字型の中間状態を形成するための折り曲げ部を備え、該折り曲げ部には予めハーフカット線を形成したものである。
また、上記係止突片部を上記係止スリットと択一的に係止して横断面の径寸法を大小調節可能とする２列以上の平行な係止スリット群を有するものである。
【発明の効果】
【０００９】
本発明の被服展示用補助具によれば、低コストであるとともに、保管時に必要な場所が小さく、さらに、軽量である。また、衣服の展示に於て、マネキンに衣服を着せた際、ディスプレイのボリューム感、立体感を一定とすることができるとともに、短時間で脚や腕にボリューム感、立体感を出すことができ、時間を節約することができる。
【図面の簡単な説明】
【００１０】
【図１】本発明の使用状態の一例を示す正面図である。
【図２】要部側面図である。
【図３】脚用の被服展示用補助具の展開図である。
【図４】組立状態を示す正面図である。
【図５】背面図である。
【図６】側面図である。
【図７】図４のＶ−Ｖ断面拡大端面図である。
【図８】図４のＷ−Ｗ断面拡大端面図である。
【図９】中間状態を示す要部拡大断面端面図である。
【図１０】中間状態を示す要部拡大断面端面図である。
【図１１】膝部の折り曲げ状態を示す側面図である。
【図１２】腕用の被服展示用補助具の展開図である。
【図１３】組立状態を示す正面図である。
【図１４】背面図である。
【図１５】側面図である。
【図１６】図13のＸ−Ｘ断面拡大端面図である。
【図１７】図13のＹ−Ｙ断面拡大端面図である。
【図１８】肘部の折り曲げ状態を示す側面図である。
【発明を実施するための形態】
【００１１】
図１・図２は、本発明の実施の一形態の使用状態の一例を示す。この被服展示用補助具Ｈは、マネキン本体（胴体部分）Ｍに付設して使用される。例えば、図１に示すように、脚用被服展示用補助具Ｈ１を、紐Ｙにてマネキン本体Ｍと連結するとともに、左右の腕用被服展示用補助具Ｈ２を相互に紐Ｙにて連結してマネキン本体Ｍの首部Ｎに引掛けて、マネキン本体Ｍに付設する。
【００１２】
被服展示用補助具Ｈは（脚用、腕用共に）、一枚のプラスチック板（シート材）Ｐ（図３・図12参照）を打ち抜いて形成される。プラスチック板（シート材）Ｐは、例えば、ポリプロピレン（ＰＰ）、ポリエチレン（ＰＥ）、ポリエチレンテレフタレート（ＰＥＴ）、ＡＢＳ樹脂、ポリカーボネート等から成る。プラスチック板Ｐの厚さ寸法ｔは、 0.4mm以上 1.0mm以下に設定され、好ましくは、 0.5mmに設定されている。厚さ寸法ｔが上記範囲よりも小さい場合、強度不足となる。厚さ寸法ｔが上記範囲よりも大きい場合、打ち抜きに大きな力を必要とするとともに、材料の無駄となる。
【００１３】
図３〜図８は脚用の被服展示用補助具Ｈ１を示す。この脚用の被服展示用補助具Ｈ１は、係止突片部１と、係止突片部１が係止する係止スリット２を有する。係止突片部１を係止スリット２に係止させた組立状態では全体が先端方向へ縮径する細長円筒状であって円周壁部３と直径方向の補強横断壁部４が形成されるように構成されている。
【００１４】
Ｚ字型又はＳ字型の中間状態（後述）を形成するための折り曲げ部５を備え、折り曲げ部５には予めハーフカット線６が形成されている。図３では、ハーフカット線６が紙面手前側に形成されたものを実線で示し、紙面裏側に形成されたものを点線で示した。すなわち、谷折りされる側にハーフカット線６を形成している。
係止突片部１を係止スリット２と択一的に係止して横断面の径寸法Ｄを大小調節可能とする２列の平行な係止スリット群７を有する。
【００１５】
組立状態で長手方向中間位置において、円周壁部３の側壁面８及び後壁部９に切欠部10が形成されており、折曲げ可能な膝部11とされている。図11に膝部11を折り曲げた状態を示す。長手方向中間位置において補強横断壁部４の左辺12と右辺13に弧状切欠部14が形成されている。
【００１６】
図９・図10は、各々、図４のＶ−Ｖ断面、Ｗ−Ｗ断面に対応する位置での組み立て途中（中間状態）の要部拡大断面端面図を示す。組み立て途中に横断面がＺ字型又はＳ字型の中間状態を有する。図10の矢印Ａまたは矢印Ａ′に示すように、係止突片部１を係止スリット２と択一的に係止して横断面の径寸法Ｄを大小調節可能である。同様に、図10の矢印Ｂまたは矢印Ｂ′に示すように、係止突片部１を係止スリット２と択一的に係止して横断面の径寸法Ｄを大小調節可能である。
【００１７】
具体的には、一列の係止突片部１を図10の矢印Ａのように外側の一列の係止スリット２と係止させ、他の一列の係止突片部１を図10の矢印Ｂのように他の外側の一列の係止スリット２と係止させると、横断面の径寸法Ｄが小さくなる。また、一列の係止突片部１を図10の矢印Ａ′のように内側の一列の係止スリット２と係止させ、他の一列の係止突片部１を図10の矢印Ｂ′のように他の内側の一列の係止スリット２と係止させると、横断面の径寸法Ｄが大きくなる。
【００１８】
また、一列の係止突片部１を図10の矢印Ａのように外側の一列の係止スリット２と係止させ、他の一列の係止突片部１を図10の矢印Ｂ′のように他の内側の一列の係止スリット２と係止させると、横断面の径寸法Ｄが中くらい（上記２例の間の大きさ）になる。同様に、一列の係止突片部１を図10の矢印Ａ′のように内側の一列の係止スリット２と係止させ、他の一列の係止突片部１を図10の矢印Ｂのように他の外側の一列の係止スリット２と係止させると、横断面の径寸法Ｄが中くらいになる。すなわち、上述のように、係止突片部１をどの係止スリット２に係止させるかによって、横断面の径寸法Ｄを３通り（４通り）に大小調節することができる。
【００１９】
次に、図２に戻って、使用状態の一例について説明する。長手方向中間位置（膝部11）より上部内にマネキン本体Ｍを立設するための支柱Ｔを挿通させるが、膝部11より下部は、支柱Ｔを挿通させない。このようにすることで、靴Ｋを容易に履かせることができる。
【００２０】
図12〜図17は腕用の被服展示用補助具Ｈ２を示す。この腕用の被服展示用補助具Ｈ２は、係止突片部１を係止スリット２に係止させた組立状態では全体が細長筒状であって、長手方向中間位置より上部の上腕部15は横断面形状を半円型とされ、かつ、長手方向中間位置より下部の前腕部16は円周壁部３と直径方向の補強横断壁部４が形成されるように構成されている。組立状態で長手方向中間位置が図18に示すように折曲げ可能な肘部17とされている。
【００２１】
前腕部16は組み立て途中に横断面がＺ字型又はＳ字型の中間状態を有する（図９・図10と同様なので図示及び説明を省略する）。図１に示すように、左右の腕用の被服展示用補助具Ｈ２が紐Ｙによって連結され、マネキン本体Ｍの首部Ｎの後ろ側から引っ掛けられてマネキン本体Ｍに付設されている。
その他の構成は、脚用の被服展示用補助具Ｈ１と同様である。
【００２２】
なお、本発明は、設計変更可能であって、例えば、脚用の被服展示用補助具Ｈ１が、係止突片部１を係止スリット２と択一的に係止して横断面の径寸法Ｄを大小調節可能とする３列以上の平行な係止スリット群７を有するも良い。また、脚用の被服展示用補助具Ｈ１のひとつの係止突片部１が係止する係止スリット２がひとつに限定されている（すなわち係止突片部１と係止スリット２が一対一で対応している）構成とするも良い。また、腕用の被服展示用補助具Ｈ２が、係止突片部１を係止スリット２と択一的に係止して横断面の径寸法Ｄを大小調節可能とする２列以上の平行な係止スリット群７を有するも良い。また、ハーフカット線６を、谷折りされる側及び山折りされる側に形成するも良い。
【００２３】
また、マネキン本体（胴体部分）Ｍへの取付手段は、上述ものに限定されず、例えば、腕用の被服展示用補助具Ｈ２をマネキン本体Ｍの首部Ｎの前側と後ろ側に配設された紐Ｙによって取り付けるも良い。あるいは、面状ファスナー等によって取り付けるも良い。
【００２４】
以上のように、本発明は、一枚のプラスチック板Ｐを打ち抜いて形成した脚用の被服展示用補助具Ｈ１であって、係止突片部１と、係止突片部１が係止する係止スリット２を有し、係止突片部１を係止スリット２に係止させた組立状態では全体が先端方向へ縮径する細長円筒状であって円周壁部３と直径方向の補強横断壁部４が形成されるように構成したので、低コストであるとともに、保管時に必要な場所が小さく、さらに、軽量である。また、衣服の展示に於て、マネキンに衣服を着せた際、ディスプレイのボリューム感、立体感を一定とすることができるとともに、短時間で脚や腕にボリューム感、立体感を出すことができ、時間を節約することができる。また、補強横断壁部４によって、組み立て状態での全体の断面形状を円型に保持・補強することができる。
【００２５】
また、組み立て途中に横断面がＺ字型又はＳ字型の中間状態を有するので、簡易な構成にて強度の大きな脚用の被服展示用補助具Ｈ１とすることができる。
また、組立状態で長手方向中間位置において、円周壁部３の側壁面８及び後壁部９に切欠部10を形成して折曲げ可能な膝部11としたので、膝部11で折り曲げることができる。また、膝部11より下部内にマネキン本体Ｍの支柱Ｔを挿通させないことにより、靴Ｋを容易に履かせることができる。
また、長手方向中間位置において補強横断壁部４の左辺12と右辺13に弧状切欠部14を形成したので、弱い力で膝部11を折り曲げることができる。
【００２６】
また、一枚のプラスチック板Ｐを打ち抜いて形成した腕用の被服展示用補助具Ｈ２であって、係止突片部１と、係止突片部１が係止する係止スリット２を有し、係止突片部１を係止スリット２に係止させた組立状態では全体が細長筒状であって、長手方向中間位置より上部の上腕部15は横断面形状を半円型とし、かつ、長手方向中間位置より下部の前腕部16は円周壁部３と直径方向の補強横断壁部４が形成されるように構成したので、低コストであるとともに、保管時に必要な場所が小さく、さらに、軽量である。また、衣服の展示に於て、マネキンに衣服を着せた際、ディスプレイのボリューム感、立体感を一定とすることができるとともに、短時間で脚や腕にボリューム感、立体感を出すことができ、時間を節約することができる。また、補強横断壁部４によって、組み立て状態での全体の断面形状を円型に保持・補強することができる。また、上腕部15が半円型なので、腕用の被服展示用補助具Ｈ２をマネキン本体Ｍに自然な位置に近づけて配設することができる。また、肘部17で折り曲げることができる。
また、前腕部16は組み立て途中に横断面がＺ字型又はＳ字型の中間状態を有するので、
簡易な構成にて強度の大きな腕用の被服展示用補助具Ｈ２とすることができる。
【００２７】
また、Ｚ字型又はＳ字型の中間状態を形成するための折り曲げ部５を備え、折り曲げ部５には予めハーフカット線６を形成したので、組み立てる際、容易に折り曲げて組み立てることができる。
また、係止突片部１を係止スリット２と択一的に係止して横断面の径寸法Ｄを大小調節可能とする２列以上の平行な係止スリット群７を有するので、脚用の被服展示用補助具Ｈ１や腕の被服展示用補助具Ｈ２の太さを大小調節することができる。
【符号の説明】
【００２８】
１  係止突片部
２  係止スリット
３  円周壁部
４  補強横断壁部
５  折り曲げ部
６  ハーフカット線
７  係止スリット群
８  側壁面
９  後壁部
10  切欠部
11  膝部
12  左辺
13  右辺
14  弧状切欠部
15  上腕部
16  前腕部
Ｄ  径寸法
Ｈ１  脚用の被服展示用補助具
Ｈ２  腕用の被服展示用補助具
Ｐ  プラスチック板（シート材）
【図１】
2011067326.tif 000003
【図２】
2011067326.tif 000004
【図３】
2011067326.tif 000005
【図４】
2011067326.tif 000006
【図５】
2011067326.tif 000007
【図６】
2011067326.tif 000008
【図７】
2011067326.tif 000009
【図８】
2011067326.tif 000010
【図９】
2011067326.tif 000011
【図１０】
2011067326.tif 000012
【図１１】
2011067326.tif 000013
【図１２】
2011067326.tif 000014
【図１３】
2011067326.tif 000015
【図１４】
2011067326.tif 000016
【図１５】
2011067326.tif 000017
【図１６】
2011067326.tif 000018
【図１７】
2011067326.tif 000019
【図１８】
2011067326.tif 000020